(57)【要約】【課題】廃棄される図書の選別を支援することを目的としている。【解決手段】廃棄予定の本に関する廃棄予定本情報と本の流通の状況を示す情報とから、前記廃棄予定の本の流通の状況に応じた前記廃棄予定の本の入手の難しさの度合いを判定し、前記入手の難しさの度合いの判定結果に応じて、前記廃棄予定の本に関する情報を表示装置に表示させる、処理をコンピュータに実行させる。【選択図】図１２
2019211986.tif 000002
【特許請求の範囲】
【請求項１】
廃棄予定の本に関する廃棄予定本情報と本の流通の状況を示す情報とから、前記廃棄予定の本の流通の状況に応じた前記廃棄予定の本の入手の難しさの度合いを判定し、
前記入手の難しさの度合いの判定結果に応じて、前記廃棄予定の本に関する情報を表示装置に表示させる、
処理をコンピュータに実行させることを特徴とする情報処理プログラム。
【請求項２】
前記表示装置に前記廃棄予定の本に関する情報を表示させる際、前記入手の難しさの度合いが第一の条件を満たす前記廃棄予定の本を特定し、特定した本に関する情報を表示させる、
処理をコンピュータに実行させる、請求項１に記載の情報処理プログラム。
【請求項３】
前記表示装置に前記廃棄予定の本に関する情報を表示させる際、前記入手の難しさの度合いが第二の条件を満たす前記廃棄予定の本を特定し、特定した本に関する情報を表示させる処理をコンピュータに実行させる、請求項１に記載の情報処理プログラム。
【請求項４】
前記表示装置に前記廃棄予定の本に関する情報を表示させる際、前記入手の難しさの度合いが大きい順または小さい順に、廃棄予定の本に関する情報を表示させる
処理をコンピュータに実行させる、請求項１に記載の情報処理プログラム。
【請求項５】
前記本の流通の状況を示す情報を、
前記廃棄予定の本を取引対象に含むサイトから取得する、処理を前記コンピュータに実行させる、請求項１乃至４の何れか一項に記載の情報処理プログラム。
【請求項６】
前記廃棄予定の本の流通の状況に基づき、前記入手の難しさの度合いが高まる前記廃棄予定の本を予測する、処理を前記コンピュータに実行させる、請求項１乃至５の何れか一項に記載の情報処理プログラム。
【請求項７】
特定のキーワードを示す情報を参照し、前記廃棄予定本情報に前記特定のキーワードが含まれるか否かに応じて、需要が増加する廃棄予定の本を予測する、処理を前記コンピュータに実行させる、請求項１乃至６の何れか一項に記載の情報処理プログラム。
【請求項８】
本を特定する情報の入力を受け付けて、
前記本の流通の状況を示す情報を参照し、前記特定する情報が入力された前記本の流通量に基づいて、前記本を前記廃棄予定の本とするか否かを判定する、処理を前記コンピュータに実行させる請求項１乃至７の何れか一項に記載の情報処理プログラム。
【請求項９】
コンピュータによる情報処理方法であって、前記コンピュータが、
廃棄予定の本に関する廃棄予定本情報と本の流通の状況を示す情報とから、前記廃棄予定の本の流通の状況に応じた前記廃棄予定の本の入手の難しさの度合いを判定し、
前記入手の難しさの度合いの判定結果に応じて、前記廃棄予定の本に関する情報を表示装置に表示させる、情報処理方法。
【請求項１０】
廃棄予定の本に関する廃棄予定本情報と本の流通の状況を示す情報とから、前記廃棄予定の本の流通の状況に応じた前記廃棄予定の本の入手の難しさの度合いを判定する判定部と、
前記入手の難しさの度合いの判定結果に応じて、前記廃棄予定の本に関する情報を表示装置に表示させる出力部と、を有する情報処理装置。
【発明の詳細な説明】
【技術分野】
【０００１】
本発明は、情報処理プログラム、情報処理方法及び情報処理装置に関する。
【背景技術】
【０００２】
図書館等のように、多数の蔵書を保管する施設では、スペースによって、保持できる蔵書数は限られているため、保管すべき図書（資料）と廃棄すべき図書とを選別する必要がある。
【０００３】
廃棄すべき図書は、例えば、一定の保存期限が経過した、多数購入したが読まれなくなった、貸出数が少ない、保存状態が悪い等といった基準で選別される。
【先行技術文献】
【特許文献】
【０００４】
【特許文献１】特開２０１７−３３５６３号公報
【特許文献２】特開２０１７−６８７２０号公報
【発明の概要】
【発明が解決しようとする課題】
【０００５】
図書の価値は、その図書の流通の状態や、その時々の流行等の外的な要因で変化していく。このため、上述した従来の方法で、廃棄すべき図書を選別した場合、外的な要因の変化によって希少価値が高まると思われる図書や、今後需要が増えると思われる図書等が、廃棄すべき図書に選別される可能性がある。
【０００６】
１つの側面では、本発明は、廃棄される図書の選別を支援することを目的としている。
【課題を解決するための手段】
【０００７】
一つの態様では、廃棄予定の本に関する廃棄予定本情報と本の流通の状況を示す情報とから、前記廃棄予定の本の流通の状況に応じた前記廃棄予定の本の入手の難しさの度合いを判定し、前記入手の難しさの度合いの判定結果に応じて、前記廃棄予定の本に関する情報を表示装置に表示させる、処理をコンピュータに実行させる。
【０００８】
上記各処理は、上記各処理を実現する機能部、各処理を実現する手順としても良く、各処理をコンピュータに実行させるプログラムを記憶したコンピュータ読み取り可能な記憶媒体とすることもできる。
【発明の効果】
【０００９】
廃棄する図書の選別を支援することができる。
【図面の簡単な説明】
【００１０】
【図１】廃棄予定本選別システムの一例を示す図である。
【図２】情報処理装置のハードウェア構成の一例を示す図である。
【図３】蔵書データベースの一例を示す図である。
【図４】廃棄予定本データベースの一例を示す第一の図である。
【図５】希少価値データベースの一例を示す図である。
【図６】キーワードデータベースの一例を示す図である。
【図７】情報処理装置の機能を説明する図である。
【図８】情報処理装置の動作を説明する第一のフローチャートである。
【図９】情報処理装置の動作を説明する第二のフローチャートである。
【図１０】情報処理装置の動作を説明する第三のフローチャートである。
【図１１】廃棄予定本データベースの例を示す第二の図である。
【図１２】廃棄予定本のリストの一例を示す図である。
【図１３】情報処理装置の動作を説明する第四のフローチャートである。
【図１４】破棄しても良い本に関する情報の表示例を示す図である。
【図１５】希少価値の高い本に関する情報の表示例を示す図である。
【発明を実施するための形態】
【００１１】
以下に図面を参照して、実施形態について説明する。図１は、廃棄予定本選別システムの一例を示す図である。
【００１２】
本実施形態の廃棄予定本選別システム１００は、情報処理装置２００と、端末装置３００とを有する。廃棄予定本選別システム１００において、情報処理装置２００と、端末装置３００とは、ネットワーク等を介して接続される。
【００１３】
本実施形態の廃棄予定本選別システム１００は、例えば、図書館等のように、蔵書を多数保管する施設等に導入され、図書館員等の施設の管理者による、廃棄する図書と、保管する図書との選別を支援する。
【００１４】
本実施形態の情報処理装置２００は、蔵書データベース２１０、廃棄予定本データベース２２０、希少価値データベース２３０、キーワードデータベース２４０、廃棄予定本出力部２５０を有する。
【００１５】
本実施形態の情報処理装置２００において、蔵書データベース２１０は、施設が保管している図書（以下、単に本と言う）に関する情報を格納している。廃棄予定本データベース２２０は、廃棄する予定として選別された本に関する情報を格納している。廃棄予定本データベース２２０は、図書館員等の施設の管理者によって、選択された本に関する情報が格納される。
【００１６】
希少価値データベース２３０は、図書の流通の状況に関する情報を格納している。より具体的には、希少価値データベース２３０は、流通量が一定量に満たない、一般的に入手が困難と思われる図書に関する情報を格納している。希少価値データベース２３０は、例えば、図書を販売している販売業者等が有している情報等を参照して作成される。
【００１７】
キーワードデータベース２４０は、特定のキーワードを示す情報を格納している。特定のキーワードとは、例えば、今後開催されるイベント等の名称や、現在注目されている事柄と関連する単語等である。
【００１８】
また、本実施形態の情報処理装置２００は、廃棄予定本出力部２５０により、廃棄予定本データベース２２０と希少価値データベース２３０とを照合し、廃棄予定とされた本を、希少価値が高い本から順に並べたリストを出力する。
【００１９】
情報処理装置２００から出力されるリストは、端末装置３００に表示されても良い。本実施形態では、例えば、端末装置３００において、リストの出力指示がなされると、端末装置３００がリストの出力要求を情報処理装置２００に送信し、情報処理装置２００が端末装置３００にリストを表示させても良い。
【００２０】
尚、本実施形態において、希少価値が高い本とは、購入しにくい本を意味する。言い換えれば、本実施形態における希少価値とは、入手の難しさの度合いを意味する。例えば、流通量が多く、一般的な書店や店舗等で簡単に購入することができる本は、希少価値が低い本と言える。これに対し、市場での流通量が少なく、販売している店舗が限られている本は、流通量の多い本よりも希少価値が高いと言える。
【００２１】
このように、本実施形態では、希少価値データベース２３０を参照して、廃棄予定とされた本を希少価値が高い順に端末装置３００に表示させることで、廃棄される図書の選別を支援する。より具体的には、本実施形態では、廃棄予定とされた本を、入手が困難であると考えられる順に表示させることで、入手が困難であり、適切に保管すべき本が誤って廃棄されることを抑制することができる。
【００２２】
尚、本実施形態の情報処理装置２００と端末装置３００は、例えば、蔵書を保管する図書館等の施設内に設けられていても良い。この場合、蔵書データベース２１０と廃棄予定本データベース２２０とは、この施設で保管されている図書に関するものとなる。
【００２３】
また、本実施形態では、情報処理装置２００は、ネットワーク上のサーバ装置であり、端末装置３００は図書館等の施設内に設けられていても良い。この場合、蔵書データベース２１０と廃棄予定本データベース２２０とは、図書館等の施設毎に設けられることになる。
【００２４】
また、図１では、各データベースが情報処理装置２００に設けられるものとしたが、これに限定されない。図１に示す各データベースは、情報処理装置２００以外の装置に設けられていても良い。例えば、蔵書データベース２１０と廃棄予定本データベース２２０が端末装置３００に設けられていても良いし、端末装置３００以外の装置に設けられていても良い。
【００２５】
以下に、本実施形態の情報処理装置２００について説明する。図２は、情報処理装置のハードウェア構成の一例を示す図である。
【００２６】
本実施形態の情報処理装置２００は、それぞれバスＢで相互に接続されている入力装置２１、出力装置２２、ドライブ装置２３、補助記憶装置２４、メモリ装置２５、演算処理装置２６及びインターフェース装置２７を含む。
【００２７】
入力装置２１は、各種の情報の入力を行うための装置であり、例えばキーボードやポインティングデバイス等により実現される。出力装置２２は、各種の情報の出力を行うためものであり、例えばディスプレイ等により実現される。インターフェース装置２７は、ＬＡＮカード等を含み、ネットワークに接続する為に用いられる。
【００２８】
廃棄予定本出力部２５０を実現させる廃棄予定本出力プログラムは、情報処理装置２００を制御する各種プログラムの少なくとも一部である。廃棄予定本出力プログラムは例えば記憶媒体２８の配布やネットワークからのダウンロード等によって提供される。廃棄予定本出力プログラムを記録した記憶媒体２８は、ＣＤ−ＲＯＭ、フレキシブルディスク、光磁気ディスク等の様に情報を光学的、電気的或いは磁気的に記録する記憶媒体、ＲＯＭ、フラッシュメモリ等の様に情報を電気的に記録する半導体メモリ等、様々なタイプの記憶媒体を用いることができる。
【００２９】
また、廃棄予定本出力プログラムは、廃棄予定本出力プログラムを記録した記憶媒体２８がドライブ装置２３にセットされると、記憶媒体２８からドライブ装置２３を介して補助記憶装置２４にインストールされる。ネットワークからダウンロードされた廃棄予定本出力プログラムは、インターフェース装置２７を介して補助記憶装置２４にインストールされる。
【００３０】
補助記憶装置２４は、インストールされた廃棄予定本出力プログラムを格納すると共に、廃棄予定本出力部２５０による各種の処理に必要なファイル、データ等を格納する。メモリ装置２５は、情報処理装置２００の起動時に補助記憶装置２４から廃棄予定本出力プログラムを読み出して格納する。そして、演算処理装置２６はメモリ装置２５に格納された廃棄予定本出力プログラムに従って、後述するような各種処理を実現している。
【００３１】
次に、図３乃至図６を参照して、情報処理装置２００の有する各データベースについて説明する。情報処理装置２００の有する各データベースは、例えば、補助記憶装置２４やメモリ装置２５等に設けられても良い。
【００３２】
図３は、蔵書データベースの一例を示す図である。本実施形態の蔵書データベース２１０は、情報の項目として、図書ＩＤ、本ＩＤ、図書名、ＩＳＢＮ（International  Standard  Book  Number）、資料紹介、状態を有する。
【００３３】
蔵書データベース２１０において、項目「本ＩＤ」とその他の項目とは対応付けられており、項目「本ＩＤ」の値とその他の項目の値とを含む情報を蔵書情報と呼ぶ。
【００３４】
項目「図書ＩＤ」の値は、図書の種類を特定するための識別情報を示す。項目「本ＩＤ」の値は、個々の本を特定するための識別情報を示す。項目「図書名」の値は、図書の名称を示す。項目「ＩＳＢＮ」の値は、図書のＩＳＢＮを示す。ＩＳＢＮとは、世界共通で図書（書籍）を特定するための番号である。
【００３５】
項目「資料紹介」の値は、図書を紹介するための情報を示す。項目「状態」の値は、図書の状態を示す。
【００３６】
尚、蔵書データベース２１０に格納される情報の項目や、情報の構造は、図３に示す例に限定されない。蔵書データベース２１０は、図書を保管する施設毎に作成されるものであり、情報の項目や構造は、施設毎に異なっていて良い。
【００３７】
図４は、廃棄予定本データベースの一例を示す図である。本実施形態の廃棄予定本データベース２２０は、情報の項目として、本ＩＤ、図書名、ＩＳＢＮ、資料紹介、備考、希少価値、希少価値予測、需要予測を有する。
【００３８】
廃棄予定本データベース２２０で、項目「本ＩＤ」と、その他の項目とが対応付けられている。以下の説明では、廃棄予定本データベース２２０において、項目「本ＩＤ」の値と、その他の項目の値とを含む情報を、廃棄予定本情報と呼ぶ。
【００３９】
項目「備考」の値は、対応する本が非売品であるか否かを示す。具体的には、項目「備考」の値は、対応する図書が非売品である場合は、図書館員等の管理者によって、項目「備考」の値に「非売品」が入力されても良い。
【００４０】
項目「希少価値」の値は、図書の希少価値を示す。項目「希少価値予測」の値は、図書の今後の希少価値を高める要因を示す。項目「需要予測」の値は、図書と、今後開催されるイベントや、現在注目されている事柄との関連を示す。
【００４１】
項目「備考」、「希少価値」、「希少価値予測」、「需要予測」のそれぞれの値は、後述する廃棄予定本出力部２５０の処理によって入力される。
【００４２】
例えば、図４の例では、本ＩＤ「１１」であり、図書名が「ＡＡＡ」でありＩＳＢＮが「９７８−４−１１１１１−０」である本が、廃棄予定とされていることがわかる。また、図４の例では、この本は、非売品であることがわかる。
【００４３】
図５は、希少価値データベースの一例を示す図である。本実施形態の希少価値データベース２３０は、情報の項目として、ＩＳＢＮ、図書名、状態、在庫数、販売価格、正価を有し、項目「ＩＳＢＮ」とその他の項目とが対応付けられている。
【００４４】
以下の説明では、希少価値データベース２３０において、項目「ＩＳＢＮ」の値とその他の項目の値とを含む情報を希少価値情報と呼ぶ。
【００４５】
項目「状態」の値は、対応する図書の流通の状態を示す。項目「在庫数」の値は、市場での対応する図書の流通量を示す。項目「販売価格」の値は、対応する図書の販売価格を示す。項目「正価」の値は、対応する図書の定価を示す。
【００４６】
図５の例では、例えば、ＩＳＢＮが「９７８−４−９９−１１１１１−１」であり、図書名「ＢＢＢ」の流通の状態は、「絶版」であり、在庫数が「０」であることがわかる。
【００４７】
本実施形態の希少価値データベース２３０は、廃棄予定本出力部２５０による廃棄予定とされた本のリストを出力する処理が実行される前の事前処理によって作成される。
【００４８】
図６は、キーワードデータベースの一例を示す図である。本実施形態のキーワードデータベース２４０には、複数のキーワードが格納されている。キーワードデータベース２４０に格納されるキーワードは、例えば、ニュース等に一定回数以上出現する単語や、流行している言葉、今後開催されるイベントの名称等が含まれる。
【００４９】
本実施形態のキーワードデータベース２４０は、例えば、希少価値データベース２３０を作成する際の事前処理において作成されても良いし、図書館員等の管理者によって作成されても良い。また、キーワードデータベース２４０は、定期的に更新されても良い。
【００５０】
次に、図７を参照して、本実施形態の情報処理装置２００の機能について説明する。図７は、情報処理装置の機能を説明する図である。
【００５１】
本実施形態の情報処理装置２００は、廃棄予定本出力部２５０を有する。廃棄予定本出力部２５０は、情報処理装置２００の演算処理装置２６が、補助記憶装置２４やメモリ装置２５等に格納された廃棄予定本出力プログラムを読みだして実行することで実現される。
【００５２】
本実施形態の廃棄予定本出力部２５０は、入力受付部２５１、事前処理部２５２、希少価値判定部２５３、希少価値予測部２５４、特定分野判定部２５５、価格判定部２５６、需要予測部２５７、ソート部２５８、出力部２５９、更新部２６０を有する。
【００５３】
入力受付部２５１は、情報処理装置２００に対する各種の入力を受け付ける。具体的には、入力受付部２５１は、例えば、端末装置３００において入力された、廃棄予定とされた本のリストの出力指示を、リストの出力要求として受け付けても良い。また、本実施形態の入力受付部２５１は、例えば、廃棄予定とされる本の入力を受け付けても良い。以下の説明では、廃棄予定とされた本を、廃棄予定本と呼ぶ。
【００５４】
事前処理部２５２は、廃棄予定本のリストを出力する処理の前に行われる事前処理を行う。具体的には、事前処理部２５２は、希少価値データベース２３０を作成する。また、事前処理部２５２は、キーワードデータベース２４０を作成しても良い。事前処理部２５２による処理の詳細は後述する。
【００５５】
希少価値判定部２５３は、廃棄予定本データベース２２０に格納されている廃棄予定本情報と、希少価値データベース２３０の希少価値情報とを照合して、廃棄予定本の希少価値を判定する。言い換えれば、希少価値判定部２５３は、廃棄予定本情報と、希少価値情報とから、廃棄予定本の入力の困難さの度合いを判定する判定部の機能を果たす。
【００５６】
希少価値予測部２５４は、廃棄予定本情報と希少価値情報とを照合して、今後の廃棄予定本の希少価値を高めると思われる要因を特定する。
【００５７】
特定分野判定部２５５は、廃棄予定本が、事前に登録された特定の分野の本であるか否かを判定する。尚、特定分野判定部２５５は、特定の分野を示す分野情報が予め設定されていても良い。この分野情報は、例えば、特定のキーワードを示す情報であっても良いし、特定の分野を示す情報であっても良い。
【００５８】
価格判定部２５６は、廃棄予定本情報と希少価値情報とから、廃棄予定本の販売価格が正価よりも高いか否かを判定する。つまり、価格判定部２５６は、廃棄予定本に対し、出版当初よりも高値がついているか否かを判定する。
【００５９】
需要予測部２５７は、廃棄予定本情報とキーワードデータベース２４０とから、廃棄予定本の今後の需要が高まるか否かを予測する。具体的には、需要予測部２５７は、キーワードデータベース２４０に格納されているキーワードと関連する図書であるか否かを判定する。つまり、需要予測部２５７は、廃棄予定本と、今後開催されるイベントや、現在注目されている事柄と関連しているか否か判定し、関連している場合には、この廃棄予定本は、今後の需要が高まるものと予測する。
【００６０】
ソート部２５８は、上述した各判定部による判定結果に基づき、廃棄予定本データベース２２０に格納された廃棄予定本情報を、希少価値が高いと推測される順に並べかえる。
【００６１】
出力部２５９は、ソート部２５８が並べかえた廃棄予定本情報をリストとして出力する。
【００６２】
更新部２６０は、各データベースを更新する。具体的には、例えば、更新部２６０は、希少価値データベース２３０とキーワードデータベース２４０を定期的に更新しても良い。また、更新部２６０は、例えば、入力受付部２５１が新たな廃棄予定本の入力を受け付けると、この廃棄予定本と対応する廃棄予定本情報を廃棄予定本データベース２２０に格納し、廃棄予定本データベース２２０を更新しても良い。
【００６３】
次に、図８乃至１０を参照して、本実施形態の情報処理装置２００の動作について説明する。図８は、情報処理装置の処理を説明する第一のフローチャートである。
【００６４】
図８では、事前処理部２５２による、希少価値データベース２３０を作成する処理を示している。
【００６５】
本実施形態の事前処理部２５２は、ネットワーク上で書籍を販売している複数のサイトにアクセスし、在庫数が所定数以下となっている図書を特定する（ステップＳ８０１）。言い換えれば、希少価値データベース２３０は、廃棄予定本データベース２２０に格納された廃棄予定の本を取引対象に含むサイトから取得した情報が格納される。
【００６６】
尚、ここでは、ネットワーク上のサイトから図書を特定するものとしたが、これに限定されない。本実施形態では、例えば、実際の書店等において、在庫数が所定数以下となっている図書に関する情報の提供を受けても良い。
【００６７】
続いて、事前処理部２５２は、特定した図書の流通の状態を示す情報を取得する（ステップＳ８０２）。具体的には、事前処理部２５２は、アクセスした複数のサイトにおける図書の状態を示す情報を取得する。ここで取得される情報は、希少価値データベース２３０の項目「状態」の値となる。
【００６８】
続いて、事前処理部２５２は、特定した図書の販売価格と正価を示す情報を取得する（ステップＳ８０３）。具体的には、事前処理部２５２は、例えば、複数のサイトから図書の販売価格を取得する。このとき、販売価格がそれぞれのサイト等で異なっていた場合には、最も高値又は最も安値の販売価格を取得しても良いし、各サイトなおける販売価格の平均値を取得しても良い。ここで取得される販売価格と正価とを示す情報は、希少価値データベース２３０におれる項目「販売価格」と項目「正価」の値となる。
【００６９】
続いて、事前処理部２５２は、ステップＳ８０１で特定した図書のＩＳＢＮと、図書の状態を示す情報と、販売価格と正価とを対応付けて、希少価値情報として希少価値データベース２３０へ格納し（ステップＳ８０４）、処理を終了する。
【００７０】
このように、本実施形態では、在庫数が所定数以下の図書に関する情報を収集して希少価値データベース２３０に格納することで、流通量が少なく、購入し難い図書に関する情報を収集できる。在庫数が所定値以下の図書とは、例えば、絶版されていたり、需要に供給が追いついていない図書等である。
【００７１】
尚、本実施形態の事前処理部２５２は、例えば、キーワードデータベース２４０を作成する際には、例えば、ネットワーク上のニュースサイト等から、出現頻度が所定の値以上である単語を抽出してキーワードデータベース２４０に格納すれば良い。
【００７２】
図９は、情報処理装置の動作を説明する第二のフローチャートである。図９では、廃棄予定本出力部２５０による、廃棄予定本のリストを出力する処理を示している。
【００７３】
本実施形態の廃棄予定本出力部２５０は、入力受付部２５１により、廃棄予定本のリストの出力要求を受け付けると、希少価値判定部２５３により、廃棄予定本データベース２２０に、項目「備考」の値が「非売品」とされた廃棄予定本が存在するか否かを判定する（ステップＳ９０１）。
【００７４】
ステップＳ９０１において、該当する廃棄予定本が存在する場合、希少価値判定部２５３は、該当する廃棄予定本の廃棄予定本情報における項目「希少価値」の値に、「非売品」を登録し（ステップＳ９０２）、後述するステップＳ９０３へ進む。
【００７５】
ステップＳ９０１において、該当する廃棄予定本が存在しない場合、希少価値判定部２５３は、廃棄予定本データベース２２０と希少価値データベース２３０とを比較（照合）する（ステップＳ９０３）。
【００７６】
続いて、希少価値判定部２５３は、廃棄予定本の中に、絶版となっている廃棄予定本が存在するか否かを判定する（ステップＳ９０４）。
【００７７】
具体的には、希少価値判定部２５３は、希少価値データベース２３０において、廃棄予定本情報に含まれるＩＳＢＮと同一のＩＳＢＮを含む希少価値情報が存在するか否かを判定する。そして、希少価値判定部２５３は、該当する希少価値情報が存在する場合、この希少価値情報の項目「状態」の値が、「絶版」であるか否かを判定している。
【００７８】
ステップＳ９０４において、該当する廃棄予定本が存在する場合、希少価値判定部２５３は、この廃棄予定本の廃棄予定本情報における項目「希少価値」の値に、「絶版」を登録し（ステップＳ９０５）、後述するステップＳ９０６へ進む。
【００７９】
ステップＳ９０４において、該当する廃棄予定本が存在しない場合、希少価値判定部２５３は、廃棄予定本の中に、在庫がない廃棄予定本が存在するか否かを判定する（ステップＳ９０６）。
【００８０】
具体的には、希少価値判定部２５３は、希少価値データベース２３０において、廃棄予定本情報に含まれるＩＳＢＮと同一のＩＳＢＮを含む希少価値情報が存在するか否かを判定する。そして、希少価値判定部２５３は、該当する希少価値情報が存在する場合、この希少価値情報の項目「在庫数」の値が「０」であるか否かを判定している。
【００８１】
ステップＳ９０６において、該当する廃棄予定本が存在する場合、希少価値判定部２５３は、この廃棄予定本の廃棄予定本情報における項目「希少価値」の値に、「品薄」を登録し（ステップＳ９０７）、後述するステップＳ９０８へ進む。
【００８２】
ステップＳ９０６において、該当する廃棄予定本が存在しない場合、廃棄予定本出力部２５０は、希少価値予測部２５４により、廃棄予定本のうち、在庫数が残り１冊となってする廃棄予定本が存在するか否かを判定する（ステップＳ９０８）。
【００８３】
具体的には、希少価値判定部２５３は、希少価値データベース２３０において、廃棄予定本情報に含まれるＩＳＢＮと同一のＩＳＢＮを含む希少価値情報が存在するか否かを判定する。そして、希少価値判定部２５３は、該当する希少価値情報が存在する場合、この希少価値情報の項目「在庫数」の値が「１」であるか否かを判定している。
【００８４】
ステップＳ９０８において、該当する廃棄予定本が存在する場合、廃棄予定本出力部２５０は、希少価値予測部２５４により、この廃棄予定本の廃棄予定本情報における項目「希少価値予測」の値に、「残り１冊」を登録し（ステップＳ９０９）、後述するステップＳ９１０へ進む。
【００８５】
つまり、希少価値予測部２５４は、残りの在庫数が少なく、近い将来に入力困難となることを、この廃棄予定本の希少価値が高まる要因と判定する。
【００８６】
ステップＳ９０９において、該当する廃棄予定本が存在しない場合、希少価値予測部２５４は、廃棄予定本の中に、絶版予定の廃棄予定本が存在するか否かを判定する（ステップＳ９１０）。
【００８７】
具体的には、希少価値判定部２５３は、希少価値データベース２３０において、廃棄予定本情報に含まれるＩＳＢＮと同一のＩＳＢＮを含む希少価値情報が存在するか否かを判定する。そして、希少価値判定部２５３は、該当する希少価値情報が存在する場合、この希少価値情報の項目「状態」の値が、「絶版予定」であるか否かを判定している。
【００８８】
ステップＳ９１０において、該当する廃棄予定本が存在する場合、希少価値予測部２５４は、この廃棄予定本の廃棄予定本情報における項目「希少価値予測」の値に、「絶版予定」を登録し（ステップＳ９１１）、後述するステップＳ９１２へ進む。
【００８９】
つまり、希少価値予測部２５４は、絶版予定であり、近い将来に入力困難となることを、この廃棄予定本の希少価値が高まる要因とする。
【００９０】
ステップＳ９１０において、該当する廃棄予定本が存在しない場合、廃棄予定本出力部２５０は、特定分野判定部２５５により、廃棄予定本の中に、特定の分野の廃棄予定本が存在するか否かを判定する（ステップＳ９１２）。
【００９１】
具体的には、特定分野判定部２５５は、廃棄予定本情報の項目「資料紹介」において、予め設定された特定の分野の単語が含まれるか否かを判定しても良い。また、特定分野判定部２５５は、例えば、特定の分野の廃棄予定本が存在するか否かを判定しても良い。
【００９２】
ステップＳ９１２において、該当する廃棄予定本が存在する場合、特定分野判定部２５５は、この廃棄予定本の廃棄予定本情報における項目「希少価値予測」の値に、「特定分野」を登録し（ステップＳ９１３）、後述するステップＳ９１４へ進む。
【００９３】
つまり、希少価値予測部２５４は、特定の限られた分野の本であることを、この廃棄予定本の希少価値が高まる要因とする。
【００９４】
ステップＳ９１２において、該当する廃棄予定本が存在しない場合、廃棄予定本出力部２５０は、価格判定部２５６により、販売価格が正価よりも高くなっている廃棄予定本が存在するか否かを判定する（ステップＳ９１４）。
【００９５】
具体的には、価格判定部２５６は、希少価値データベース２３０において、廃棄予定本情報に含まれるＩＳＢＮと同一のＩＳＢＮを含む希少価値情報が存在するか否かを判定する。そして、希少価値判定部２５３は、該当する希少価値情報が存在する場合、この希少価値情報の項目「販売価格」の値が、「正価」の値よりも大きいか否かを判定している。
【００９６】
ステップＳ９１４において、該当する廃棄予定本が存在する場合、価格判定部２５６は、この廃棄予定本の廃棄予定本情報における項目「希少価値予測」の値に、「定価より高値」を登録し（ステップＳ９１５）、後述するステップＳ９１６へ進む。
【００９７】
つまり、希少価値予測部２５４は、販売価格が出版当初の正価よりも高くなっていることを、この廃棄予定本の希少価値が高まる要因とする。
【００９８】
ステップＳ９１４において、該当する廃棄予定本が存在しない場合、廃棄予定本出力部２５０は、廃棄予定本データベース２２０とキーワードデータベース２４０とを比較する（ステップＳ９１６）。
【００９９】
続いて、廃棄予定本出力部２５０は、需要予測部２５７により、キーワードデータベース２４０に格納されたキーワードと対応する廃棄予定本が存在するか否かを判定する（ステップＳ９１７）。
【０１００】
具体的には、需要予測部２５７は、廃棄予定本情報の項目「図書名」の値、項目「資料情報」の値と、キーワードデータベース２４０に含まれる各キーワードを対比させる。そして、需要予測部２５７は、項目「図書名」の値や項目「資料情報」の値に、キーワードデータベース２４０内のキーワードが存在するか否かを判定する。
【０１０１】
ステップＳ９１７において、該当する廃棄予定本が存在する場合、需要予測部２５７は、この廃棄予定本の廃棄予定本情報における項目「需要予測」の値に、廃棄予定本と対応するキーワードを登録し（ステップＳ９１８）、後述するステップＳ９１９へ進む。
【０１０２】
つまり、本実施形態では、キーワードデータベース２４０に格納されたキーワードが図書名や資料紹介に含まれる本は、今後、話題となる可能性のある事柄と関連する本であるため、需要が高まる可能性がある本とする。
【０１０３】
尚、ステップＳ９０１からステップＳ９１７までの処理は、廃棄予定本データベース２２０に格納されている全ての廃棄予定本情報に対して行われる。
【０１０４】
ステップＳ９１７において、該当する廃棄予定本が存在しない場合、廃棄予定本出力部２５０は、ソート部２５８により、希少価値が高い順に、廃棄予定本情報のソートする（ステップＳ９１９）。ソート部２５８の処理の詳細は後述する。
【０１０５】
続いて、廃棄予定本出力部２５０は、出力部２５９により、ソート部２５８がソートした順に廃棄予定本を並べたリストを端末装置３００に出力し（ステップＳ９２０）、処理を終了する。
【０１０６】
以下に、図１０を参照して、ソート部２５８による廃棄予定本情報のソートについて説明する。図１０は、情報処理装置の処理を説明する第三のフローチャートである。図１０では、ソート部２５８による、廃棄予定本情報をソートする処理を示している。
【０１０７】
本実施形態のソート部２５８は、廃棄予定本データベース２２０において、項目「希少価値」の値の優先度に応じて、廃棄予定本情報をグループ化する（ステップＳ１００１）。
【０１０８】
尚、項目「希少価値」の値の優先度は、予めソート部２５８に保持されているものとした。ここで、項目「希少価値」の値の優先度について説明する。
【０１０９】
本実施形態では、希少価値は、購入の困難さと考える。したがって、非売品である本が最も希少価値が高く、次に希少価値が高い本は、在庫数が限られており、且つ、絶版となっている本である。これらに続いて希少価値が高い本は、在庫がない本、つまり、現時点で流通していない、品薄な本となる。
【０１１０】
よって、本実施形態のソート部２５８は、項目「希少価値」の値が「非売品」である廃棄予定本情報を、最も希少価値が高いグループとして、グループ化する。次に、ソート部２５８は、項目「希少価値」の値が、「絶版」である廃棄予定本情報を、次に希少価値が高いグループとして、グループ化する。そして、ソート部２５８は、項目「希少価値」の値が、「品薄」である廃棄予定本情報を、三番目に希少価値が高いグループとして、グループ化する。
【０１１１】
続いて、ソート部２５８は、ステップＳ１００１でグループ化された廃棄予定本情報以外の廃棄予定本情報を、項目「希少価値予測」の値の優先度に応じて、グループ化する（ステップＳ１００２）。
【０１１２】
尚、ソート部２５８には、項目「希少価値予測」の値の優先度は、予め設定されている。本実施形態では、希少価値予測とは、今後希少価値が高まる、つまり、入手（購入）が困難となると考えられる本を予測することである。
【０１１３】
本実施形態では、項目「希少価値予測」の値の優先度を、項目「希少価値」の値の優先度と同様に、入手の困難さに応じて付与している。具体的には、例えば、項目「希少価値予測」の値「残り１冊」の本の方が、項目「希少価値予測」の値「定価より高値」の本よりも、流通量が少ないため、入手が困難であると考えられる。
【０１１４】
本実施形態では、このようにして設定された、項目「希少価値予測」の値毎に廃棄予定本情報をグループ化し、各グループに、項目「希少価値予測」の値毎の優先度を付与する。
【０１１５】
続いて、ソート部２５８は、各グループにおいて、項目の値の数が多い廃棄予定本情報から順に、優先度が高い廃棄予定本情報として、並べ替え（ステップＳ１００３）、処理を終了する。
【０１１６】
以下に、図１１を参照して、本実施形態の廃棄予定本出力部２５０による処理を具体的に説明する。図１１は、廃棄予定本データベースの例を示す第二の図である。
【０１１７】
図１１の廃棄予定本データベース２２０−１は、廃棄予定本データベース２２０が希少価値データベース２３０と比較され、ソート部２５８によりソートされた状態を示している。
【０１１８】
廃棄予定本データベース２２０−１において、廃棄予定本情報２２１は、本ＩＤ「１１」の本が非売品であり、キーワードデータベース２４０に格納された「ロケット」というキーワードが図書名か資料紹介に含まれることを示す。廃棄予定本情報２２２は、本ＩＤ「１２」の本が、絶版されていることを示す。
【０１１９】
廃棄予定本情報２２３は、本ＩＤ「１３」の本が、品薄（在庫数が０）であり、販売価格が正価よりも高値となっていることがわかる。廃棄予定本情報２２４は、本ＩＤ「１４」の本の在庫数が残り１冊であり、キーワードデータベース２４０に格納された「オリンピック」という単語か図書名か資料紹介に含まれていることがわかる。
【０１２０】
また、図１１の例では、ソート部２５８は、項目「希少価値」の値から、最も優先度の高いグループに、廃棄予定本情報２２１を含め、次に優先度の高いグループに、廃棄予定本情報２２２を含め、３番目に優先度の高いグループに、廃棄予定本情報２２３を含める。
【０１２１】
また、ソート部２５８は、項目「希少価値予測」の値から、四番目に優先度の高いグループに、廃棄予定本情報２２４を含める。
【０１２２】
また、例えば、項目「希少価値」の値が「非売品」の廃棄予定本情報が、複数存在したとする。この場合、ソート部２５８は、項目「希少価値」の値が「非売品」の廃棄予定本情報のうち、値が入力されている項目数が多い廃棄予定本情報から順に並べる。
【０１２３】
具体的には、廃棄予定本情報２２１の他に、項目「希少価値」の値が「非売品」であり、項目「希少価値予測」、「需要予測」には値がない廃棄予定本情報が存在したとする。この場合、ソート部２５８は、項目「希少価値」の他に、項目「需要予測」の値が存在する廃棄予定本情報２２１の方を優先度が高い情報とする。
【０１２４】
次に、図１２を参照して、廃棄予定本出力部２５０により出力される廃棄予定本のリストについて説明する。図１２は、廃棄予定本のリストの一例を示す図である。
【０１２５】
図１２に示す画面１２１は、例えば、端末装置３００に表示される画面であっても良い。画面１２１には、廃棄予定本のリストの出力指示を行うための操作ボタン１２２と、出力指示に応じて出力された廃棄予定本のリスト１２３と、本の廃棄を蔵書データベース２１０に反映させるための操作ボタン１２４とが表示されている。
【０１２６】
廃棄予定本のリスト１２３には、廃棄予定本データベース２２０が有する情報の項目のうち、項目「本ＩＤ」、「図書名」、「希少価値」、「希少価値予測」、「需要予測」が含まれる。また、廃棄予定本のリスト１２３には、廃棄予定本を廃棄対象外とするか否かを選択させるための入力欄１２５が含まれる。
【０１２７】
本実施形態の廃棄予定本のリスト１２３では、ソート部２５８によってソートされた順に廃棄予定本が表示される。つまり、廃棄予定本のリスト１２３では、希少価値が高いと思われる廃棄予定本から順に表示される。
【０１２８】
さらに、本実施形態の廃棄予定本のリスト１２３では、廃棄予定本の今後の希少価値が高まると予測される要因や、今後開催されるイベントや、現在注目されている事柄との関連が表示される。
【０１２９】
このように、本実施形態によれば、市場での流通量が限られている本に関する情報を、希少価値情報として希少価値データベース２３０に格納し、希少価値データベース２３０を参照して、廃棄予定本データベース２２０と照合した結果を表示させる。
【０１３０】
したがって、本実施形態によれば、客観的な情報に基づき、図書館員等に、廃棄予定本について、今後の希少価値や需要を予測させることができ、今後入手が困難となるであろう図書が廃棄されることを抑制できる。
【０１３１】
尚、本実施形態では、蔵書の中から廃棄予定本を選択して、廃棄予定本情報を廃棄予定本データベース２２０に格納する際に、希少価値データベース２３０を参照し、選択された本が廃棄予定本に該当するか否かを判定するようにしても良い。
【０１３２】
以下に、図１３を参照して、廃棄予定本情報を廃棄予定本データベース２２０に格納する際の情報処理装置２００の処理について説明する。図１３は、情報処理装置の動作を説明する第四のフローチャートである。
【０１３３】
本実施形態の情報処理装置２００は、入力受付部２５１により、廃棄予定本となる本の本ＩＤの入力を受け付けたか否かを判定する（ステップＳ１３０１）。ステップＳ１３０１において、入力を受け付けない場合、情報処理装置２００は、入力を受け付けるまで待機する。
【０１３４】
ステップＳ１３０１において、廃棄予定本となる本の本ＩＤの入力を受け付けると、更新部２６０は、入力された本ＩＤが示す図書が絶版の状態であるか否かを判定する（ステップＳ１３０２）。具体的には、更新部２６０は、希少価値データベース２３０において、入力された本ＩＤと対応するＩＳＢＮを含む希少価値情報の項目「状態」の値が、絶版であるか否かを判定する。
【０１３５】
ステップＳ１３０２において、絶版ではない場合、更新部２６０は、後述するステップＳ１３０５へ進む。ステップＳ１３０２において、絶版であった場合、更新部２６０は、希少価値データベース２３０を参照し、入力された本ＩＤと対応する本の在庫数を取得する（ステップＳ１３０３）。
【０１３６】
具体的には、更新部２６０は、入力された本ＩＤと対応するＩＳＢＮを含む希少価値情報の項目「在庫数」の値を取得する。
【０１３７】
続いて、更新部２６０は、取得した在庫数が所定数以上であるか否かを判定する（ステップＳ１３０４）。具体的には、例えば、在庫数が２冊以上であるか否かを判定する。尚、所定数は、任意の数であって良い。
【０１３８】
ステップＳ１３０４において、在庫数が所定数以上であった場合、更新部２６０は、入力された本ＩＤが示す本に関する情報を廃棄予定本情報として、廃棄予定本データベース２２０に格納し（ステップＳ１３０５）、処理を終了する。
【０１３９】
ステップＳ１３０４において、在庫数が所定数未満である場合、更新部２６０は、入力された本ＩＤが示す本に関する情報を廃棄予定本データベース２２０に格納せずに、処理を終了する。
【０１４０】
つまり、更新部２６０は、図書館員等の施設管理者が、廃棄予定本として本を選択した場合でも、選択された本の希少価値が高いと判定された場合には、廃棄予定本としての情報を廃棄予定本データベース２２０に格納しない。
【０１４１】
したがって、本実施形態では、廃棄予定本を選定する際に希少価値が高い本が廃棄予定本とされることを抑制でき、廃棄すべき図書の選定を支援することができる。
【０１４２】
尚、本実施形態では、入力された本ＩＤが示す本が、非売品であった場合や、販売価格が正価よりも高値である場合でも、この本に関する情報を廃棄予定本データベース２２０に格納しないようにしても良い。
【０１４３】
また、本実施形態では、廃棄予定本のリスト１２３の中から、破棄しても良い本に関する情報と、破棄してはいけない本（希少価値が高い本）に関する情報とを、それぞれ別々に表示させても良い。
【０１４４】
図１４は、破棄しても良い本に関する情報の表示例を示す図である。図１４に示す画面１４１では、破棄しても良い本のリスト１４２が表示されている。
【０１４５】
このリスト１４２は、廃棄予定本データベース２２０から、廃棄予定本データベース２２０が有する情報の項目のうち、項目「希少価値」、「希少価値予測」、「需要予測」の全てに値が存在しない本ＩＤが特定する本に関する情報である。
【０１４６】
また、リスト１４２は、廃棄予定本のリスト１２３において、破棄対象外とされていない本に関する情報を含む。
【０１４７】
このように、本実施形態では、入手しやすい本報を破棄しても良い破棄予定の本として特定し、特定した本に関する情報を表示させても良い。言い換えれば、本実施形態では、入力の難しさの度合いが、第一の条件を満たす本を、破棄予定の本として特定し、特定された本に関する情報を表示させても良い。第一の条件とは、破棄予定本データベース２２０において、項目「希少価値」、「希少価値予測」、「需要予測」の全てに値が存在しないことである。
【０１４８】
図１５は、希少価値の高い本に関する情報の表示例を示す図である。図１５に示す画面１５１では、希少価値の高い本（破棄してはいけない本）のリスト１５２が表示されている。
【０１４９】
このリスト１５２は、廃棄予定本データベース２２０から、廃棄予定本データベース２２０が有する情報の項目のうち、項目「希少価値」、「希少価値予測」、「需要予測」の何れか１つにでも値が存在している本ＩＤが特定する本に関する情報である。
【０１５０】
また、リスト１５２は、廃棄予定本のリスト１２３において、破棄対象外の本として選択された本に関する情報を含む。
【０１５１】
このように、本実施形態では、希少価値が高い本を、破棄してはいけない本として特定し、特定した本に関する情報を表示させても良い。言い換えれば、本実施形態では、入力の難しさの度合いが、第二の条件を満たす本を、破棄してはいけない、希少価値の高い本として特定し、特定された本に関する情報を表示させても良い。第二の条件とは、破棄予定本データベース２２０において、項目「希少価値」、「希少価値予測」、「需要予測」の何れか１つにでも値が存在することである。
【０１５２】
本実施形態では、このように、入手の難しさの度合いに応じて、破棄しても良い本に関する情報を表示させたり、破棄してはいけない本に関する情報を表示させたりする。つまり、本実施形態によれば、入手の難しさの度合いを判定し、判定結果に応じて、破棄予定の本に関する情報を表示している。
【０１５３】
したがって、本実施形態によれば、破棄する図書の選別を支援することができる。
【０１５４】
開示の技術では、以下に記載する付記のような形態が考えられる。
（付記１）
廃棄予定の本に関する廃棄予定本情報、本の流通の状況を示す情報とから、前記廃棄予定の本の流通の状況に応じた、前記廃棄予定の本の入手の難しさの度合いを判定し、
前記入手の難しさの度合いが大きい廃棄予定の本から順に、対応する廃棄予定本情報を表示装置に表示させる、処理をコンピュータに実行させる、情報処理プログラム。
（付記２）
前記本の流通の状況を示す情報を、
前記廃棄予定の本を取引対象に含むサイトから取得する、処理を前記コンピュータに実行させる、付記１記載の情報処理プログラム。
（付記３）
前記廃棄予定の本が非売品である場合に、前記入手の難しさの度合いが最も大きいと判定し、前記廃棄予定の本が絶版である場合に、前記入手の難しさの度合いが次に大きいと判定する、付記１又は２記載の情報処理プログラム。
（付記４）
前記廃棄予定の本の流通の状況に基づき、前記入手の難しさの度合いが高まる前記廃棄予定の本を予測する、処理を前記コンピュータに実行させる、付記１乃至３の何れか一項に記載の情報処理プログラム。
（付記５）
前記予測する処理は、
前記廃棄予定の本の流通量が所定数以下の場合に、前記廃棄予定の本の前記入手の難しさの度合いが高まると予測する、付記４記載の情報処理プログラム。
（付記６）
前記予測する処理は、
前記廃棄予定の本の販売価格が定価よりも高値である場合に、前記廃棄予定の本の前記入手の難しさの度合いが高まると予測する、付記４又は５記載の情報処理プログラム。
（付記７）
特定のキーワードを示す情報を参照し、前記廃棄予定本情報に前記特定のキーワードが含まれるか否かに応じて、需要が増加する廃棄予定の本を予測する、処理を前記コンピュータに実行させる、付記１乃至６の何れか一項に記載の情報処理プログラム。
（付記８）
前記特定のキーワードは、
今後開催されるイベントの名称と、現在注目されている単語とを含む、付記７記載の情報処理プログラム。
（付記９）
本を特定する情報の入力を受け付けて、
前記本の流通の状況を示す情報を参照し、前記特定する情報が入力された前記本の流通量に基づいて、前記本を前記廃棄予定の本とするか否かを判定する、処理を前記コンピュータに実行させる、付記１乃至８の何れか一項に記載の情報処理プログラム。
（付記１０）
コンピュータによる情報処理方法であって、前記コンピュータが、
廃棄予定の本に関する廃棄予定本情報、本の流通の状況を示す情報とから、前記廃棄予定の本の流通の状況に応じた、前記廃棄予定の本の入手の難しさの度合いを判定し、
前記入手の難しさの度合いが大きい廃棄予定の本から順に、対応する廃棄予定本情報を表示装置に表示させる、情報処理方法。
（付記１１）
廃棄予定の本に関する廃棄予定本情報、本の流通の状況を示す情報とから、前記廃棄予定の本の流通の状況に応じた、前記廃棄予定の本の入手の難しさの度合いを判定する判定部と、
前記入手の難しさの度合いが大きい廃棄予定の本から順に、対応する廃棄予定本情報を表示装置に表示させる出力部と、を有する情報処理装置。
【０１５５】
本発明は、具体的に開示された実施形態に限定されるものではなく、特許請求の範囲から逸脱することなく、種々の変形や変更が可能である。
【符号の説明】
【０１５６】
１００  廃棄予定本選別システム
２００  情報処理装置
２１０  蔵書データベース
２２０  廃棄予定本データベース
２３０  希少価値データベース
２４０  キーワードデータベース
２５０  廃棄予定本出力部
２５２  事前処理部
２５３  希少価値判定部
２５４  希少価値予測部
２５５  特定分野判定部
２５６  価格判定部
２５７  需要予測部
２５８  ソート部
２５９  出力部
２６０  更新部
３００  端末装置
【図１】
2019211986.tif 000003
【図２】
2019211986.tif 000004
【図３】
2019211986.tif 000005
【図４】
2019211986.tif 000006
【図５】
2019211986.tif 000007
【図６】
2019211986.tif 000008
【図７】
2019211986.tif 000009
【図８】
2019211986.tif 000010
【図９】
2019211986.tif 000011
【図１０】
2019211986.tif 000012
【図１１】
2019211986.tif 000013
【図１２】
2019211986.tif 000014
【図１３】
2019211986.tif 000015
【図１４】
2019211986.tif 000016
【図１５】
2019211986.tif 000017